【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
被検体にＸ線ビームを曝射するＸ線曝射部と、
前記被検体を透過したＸ線ビームを複数の検出素子にて検出する検出部と、
前記検出部の出力に基づく原データを用いて、第１の画像を再構成する再構成部と、
前記第１の画像から第１の再投影データを生成する再投影データ生成部と、
前記原データと前記第１の再投影データとから第１の差分データを生成する差分データ生成部と、
前記第１の画像における関心領域の画像を用いて、前記関心領域に関する第１の補間画像を生成する補間画像生成部と、
前記再構成部において前記第１の差分データを用いた再構成により得られる第１の詳細画像と、前記第１の補間画像と、を合成することで、第１の出力画像を生成する画像生成部と、
を具備することを特徴とするＸ線コンピュータ断層撮像装置。
【請求項２】
前記再投影データ生成部は、前記第１の詳細画像から第２の再投影データを生成し、
前記差分データ生成部は、前記第１の差分データと前記第２の再投影データとから第２の差分データを生成し、
前記補間画像生成部は、前記第１の出力画像における前記関心領域の画像を用いて、前記関心領域に関する第２の補間画像を生成し、
前記画像生成部は、前記再構成部において前記第２の差分データの少なくとも一部分を用いた再構成により得られる第２の詳細画像と、前記第２の補間画像と、を合成することで、第２の出力画像を生成すること、
を特徴とする請求項１記載のＸ線コンピュータ断層撮像装置。
【請求項３】
前記再投影データ生成部は、前記第ｋ（ただし、ｋは２以上の自然数）の詳細画像から第ｋ＋１の再投影を生成し、
前記差分データ生成部は、前記第ｋの差分データと前記第ｋ＋１の再投影データとから第ｋ＋１の差分データを生成し、
前記補間画像生成部は、前記第ｋの出力画像における前記関心領域の画像を用いて、前記関心領域に関する第ｋ＋１の補間画像を生成し、
前記画像生成部は、前記再構成部において前記第ｋ＋１の差分データの少なくとも一部分を用いた再構成により得られる第ｋ＋１の詳細画像と、前記第ｋ＋１の補間画像と、を合成することで、第ｋ＋１の出力画像を生成するものであり、
前記再投影データ生成部、前記差分データ生成部、前記画像生成部は、それぞれｋ＝ｎ（ただし、ｎは３以上の所望の自然数）まで反復して実行すること、
を特徴とする請求項２記載のＸ線コンピュータ断層撮像装置。
【請求項４】
前記関心領域のサイズは、前記各反復において所定の割合だけ減少することを特徴とする請求項２又は３に記載のＸ線コンピュータ断層撮像装置。
【請求項５】
前記再構成部は、解析的再構成法と逐次近似再構成法の組み合わせを用いて、前記第１の画像及び前記第１の詳細画像を再構成することを特徴とする請求項１乃至４のうちいずれか一項記載のＸ線コンピュータ断層撮像装置。
【請求項６】
前記再構成部は、解析的再構成法又は逐次近似再構成法のいずれかを用いて、第２の詳細画像及び前記第ｋ＋１の詳細画像を再構成することを特徴とする請求項３に記載のＸ線コンピュータ断層撮像装置。
【請求項７】
Ｘ線コンピュータ断層撮像装置を用いて取得された原データを用いて、第１の画像を再構成する再構成部と、
前記第１の画像から第１の再投影データを生成する再投影データ生成部と、
前記原データと前記第１の再投影データとから第１の差分データを生成する差分データ生成部と、
前記第１の画像における関心領域の画像を用いて、前記関心領域に関する第１の補間画像を生成する補間画像生成部と、
前記再構成部において前記第１の差分データを用いた再構成により得られる第１の詳細画像と、前記第１の補間画像と、を合成することで、第１の出力画像を生成する画像生成部と、
を具備することを特徴とする医用画像処理装置。
【請求項８】
前記再投影データ生成部は、前記第１の詳細画像から第２の再投影データを生成し、
前記差分データ生成部は、前記第１の差分データと前記第２の再投影データとから第２の差分データを生成し、
前記補間画像生成部は、前記第１の出力画像における前記関心領域の画像を用いて、前記関心領域に関する第２の補間画像を生成し、
前記画像生成部は、前記再構成部において前記第２の差分データの少なくとも一部分を用いた再構成により得られる第２の詳細画像と、前記第２の補間画像と、を合成することで、第２の出力画像を生成すること、
を特徴とする請求項７記載の医用画像処理装置。
【請求項９】
前記再投影データ生成部は、前記第ｋ（ただし、ｋは２以上の自然数）の詳細画像から第ｋ＋１の再投影を生成し、
前記差分データ生成部は、前記第ｋの差分データと前記第ｋ＋１の再投影データとから第ｋ＋１の差分データを生成し、
前記補間画像生成部は、前記第ｋの出力画像における前記関心領域の画像を用いて、前記関心領域に関する第ｋ＋１の補間画像を生成し、
前記画像生成部は、前記再構成部において前記第ｋ＋１の差分データの少なくとも一部分を用いた再構成により得られる第ｋ＋１の詳細画像と、前記第ｋ＋１の補間画像と、を合成することで、第ｋ＋１の出力画像を生成するものであり、
前記再投影データ生成部、前記差分データ生成部、前記画像生成部は、それぞれｋ＝ｎ（ただし、ｎは３以上の所望の自然数）まで反復して実行すること、
を特徴とする請求項８記載の医用画像処理装置。
【請求項１０】
前記関心領域のサイズは、前記各反復において所定の割合だけ減少することを特徴とする請求項８又は９に記載の医用画像処理装置。
【請求項１１】
前記再構成部は、解析的再構成法と逐次近似再構成法の組み合わせを用いて、前記第１の画像及び前記第１の詳細画像を再構成することを特徴とする請求項７乃至１０のうちいずれか一項記載の医用画像処理装置。
【請求項１２】
前記再構成部は、解析的再構成法又は逐次近似再構成法のいずれかを用いて、第２の詳細画像及び前記第ｋ＋１の詳細画像を再構成することを特徴とする請求項９に記載の医用画像処理装置。
【請求項１３】
Ｘ線コンピュータ断層撮像装置を用いて取得された原データを用いて、第１の画像を再構成し、
前記第１の画像から第１の再投影データを生成し、
前記原データと前記第１の再投影データとから第１の差分データを生成し、
前記第１の画像における関心領域の画像を用いて、前記関心領域に関する第１の補間画
像を生成し、
前記第１の差分データを用いた再構成により得られる第１の詳細画像と、前記第１の補間画像と、を合成することで、第１の出力画像を生成すること、
を具備することを特徴とする医用画像処理方法。
【手続補正２】
【補正対象書類名】明細書
【補正対象項目名】０００５
【補正方法】変更
【補正の内容】
【０００５】
本実施形態に係るＸ線コンピュータ断層撮像装置は、被検体にＸ線ビームを曝射するＸ線曝射部と、前記被検体を透過したＸ線ビームを複数の検出素子にて検出する検出部と、前記検出部の出力に基づく原データを用いて、第１の画像を再構成する再構成部と、前記第１の画像から第１の再投影データを生成する再投影データ生成部と、前記原データと前記第１の再投影データとから第１の差分データを生成する差分データ生成部と、前記第１の画像における関心領域の画像を用いて、前記関心領域に関する第１の補間画像を生成する補間画像生成部と、前記再構成部において前記第１の差分データを用いた再構成により得られる第１の詳細画像と、前記第１の補間画像と、を合成することで、第１の出力画像を生成する画像生成部と、を具備するものである。